(57)【要約】  【課題】  フレア成分の発生を低減させるとともに読取光の照射光量の減少を防止する。  【解決手段】    画像情報が記録された画像記録媒体１０と、画像記録媒体１０から画像情報を読み取るときに、画像記録媒体１０に対しライン光からなる読取光を射出する、エレクトロルミネセンス素子からなる読取光源と、画像記録媒体に記録された画像情報を消去するために画像記録媒体１０に対し読取光とは異なる波長からなる消去光を射出する、エレクトロルミネセンス素子からなる消去光源とを有し、読取光源と消去光源とが、基板２１上に一体的に形成されている。【選択図】          図２
2006098334.tif 000002
【特許請求の範囲】
【請求項１】
画像情報が記録された画像記録媒体に読取光を照射することにより、該画像記録媒体から前記画像情報を読取る画像読取装置において、
前記画像記録媒体に対しライン光からなる読取光を射出する、エレクトロルミネセンス素子からなる読取光源と、
前記画像記録媒体に記録された前記画像情報を消去するために前記画像記録媒体に対し前記読取光とは異なる波長からなる消去光を射出する、エレクトロルミネセンス素子からなる消去光源と
を有し、
前記読取光源と前記消去光源とが、基板上に一体的に形成されていることを特徴とする画像読取装置。
【請求項２】
前記読取光源と前記消去光源とが、前記基板上に積層されることにより一体的に形成されたマルチフォトンエミッション素子からなるものであることを特徴とする請求項１に記載の画像読取装置。
【請求項３】
前記読取光源と前記消去光源との動作をそれぞれ個別に制御する発光制御手段をさらに有することを特徴とする請求項２に記載の画像読取装置。
【請求項４】
画像情報が記録された画像記録媒体に読取光を照射することにより、該画像記録媒体から前記画像情報を読取る画像読取装置において、
前記画像記録媒体に対しライン光からなる読取光を射出する読取光源と、
前記画像記録媒体に記録された前記画像情報を消去するために前記画像記録媒体に対し前記読取光とは異なる波長からなる消去光を射出する消去光源と
を有し、
前記読取光源と前記消去光源とが、前記基板上に一体的に形成された無機エレクトロルミネセンス素子を用いたものであり、
前記読取光源が、前記無機エレクトロルミネセンス素子における線状の複数の読取波長を射出する領域からなり、
前記消去光源が、前記無機エレクトロルミネセンス素子における前記ストライプ状の読取光源の隙間に形成された線状の複数の消去波長を射出する領域からなるものであることを特徴とする画像読取装置。
【発明の詳細な説明】
【技術分野】
【０００１】
本発明は、エレクトロルミネセンス素子を用いてライン光を画像記録媒体に照射することにより、画像記録媒体に記録された画像情報を読取る画像読取装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を静電潜像として記録する画像記録媒体が提案されている。この画像記録媒体として、画像情報を蓄積記録し読取光が走査露光されることにより画像情報に応じた輝尽発光光を発生する蓄積性蛍光体シートや、画像情報を静電潜像として記録し、読取光が走査露光されることにより静電潜像に応じた電流を発生する固体検出器が提案されている。
【０００３】
この画像記録媒体から記録された画像情報を読取る方法として、画像記録媒体に対して読取光を走査露光して画像情報を読取る方法がある（たとえば特許文献１参照。）。特許文献１においては、画像記録媒体と読取光を画像記録媒体に照射する読取光源とを有している。さらに、特許文献１においては、画像記録媒体と読取光源との間に画像記録媒体に残存する画像情報を消去するための消去光を射出する消去光源が設けられている。この消去光光源は、ガラス基板上に形成されたエレクトロルミネセンスパネル（以下、「ＥＬパネル」という）からなっており、画像記録媒体に対し積層されている。
【特許文献１】特開２００４−１５６９０８号公報
【発明の開示】
【発明が解決しようとする課題】
【０００４】
特許文献１のような構成においては、読取光は消去光照射部を透過した後に画像記録媒体に照射されることになる。しかし、読取光が消去光照射部のガラス基板に入射する際、読取光の一部がガラス基板と空気との界面（入射面）において反射してしまい、画像記録媒体に照射される読取光の光量が少なくなってしまうという問題がある。
【０００５】
また、読取光が消去光照射部であるＥＬパネルを透過する際、ＥＬパネル内で読取光が散乱してしまい、画像記録媒体における読取光を照射したい部位以外に読取光が照射されてしまう。その結果、画像情報を取得する部位以外の領域の画像情報を取得することになり、フレア成分の発生の原因になってしまうという問題がある。
【０００６】
そこで、本発明は、読取光の照射光量の減少するとともにフレア成分の発生を低減することができる画像読取装置を提供することを目的とする。
【課題を解決するための手段】
【０００７】
本発明の画像読取装置は、画像情報が記録された画像記録媒体に読取光を照射することにより、画像記録媒体から画像情報を読取る画像読取装置において、画像記録媒体に対しライン光からなる読取光を射出する、エレクトロルミネセンス素子からなる読取光源と、画像記録媒体に記録された画像情報を消去するために画像記録媒体に対し読取光とは異なる波長からなる消去光を射出する、エレクトロルミネセンス素子からなる消去光源とを有し、読取光源と消去光源とが、基板上に一体的に形成されていることを特徴とするものである。
【０００８】
ここで、「基板上に一体的に形成されている」とは、読取光源と消去光源とが、同一の基板の厚み方向に積層されて形成されていること、あるいは同一の基板の同一平面上に並んで配列されていることを意味する。
【０００９】
また、読取光源および消去光源のエレクトロルミネセンス素子は、無機エレクトロルミネセンス素子であってもよいし有機エレクトロルミネセンス素子であってもよい。すなわち、読取光源と消去光源とが基板の厚み方向に積層されているとき、読取光源および消去光源は、有機エレクトロルミネセンス素子同士を積層した構造もしくは有機エレクトロルミネセンス素子上に無機エレクトロルミネセンス素子が積層された構造になる。
【００１０】
特に、読取光源と消去光源とが、基板上に読取光を射出する読取光発光ユニットと、消去光を射出する消去光発光ユニットとを積層することにより一体的に形成されたマルチフォトンエミッション素子からなるものであってもよい。このとき、読取光発光ユニットおよび消去光発光ユニットの数は、それぞれ単数であってもよいし複数であってもよい。
【００１１】
このとき、読取光発光ユニットと消去光発光ユニットとの動作をそれぞれ個別に制御する発光制御手段をさらに有し、読取光発光ユニットの発光タイミングと消去光発光ユニットの発光タイミングとをそれぞれ独立して制御するようにしてもよい。
【００１２】
同様に、読取光源と消去光源とが基板の同一平面上に並んで配列されているときであっても、読取光源と消去光源とが有機エレクトロルミネセンス素子からなっていてもよいし、無機エレクトロルミネセンス素子からなっていてもよい。このとき、読取光源として少なくとも読取波長の光を射出する無機エレクトロルミネセンス素子が適宜選択され、消去光源として少なくとも消去波長の光を射出する無機エレクトロルミネセンス素子が適宜選択されることになる。
【００１３】
また、本発明の画像読取装置は、画像情報が記録された画像記録媒体に読取光を照射することにより、画像記録媒体から前記画像情報を読取る画像読取装置において、画像記録媒体に対しライン光からなる読取光を射出する読取光源と、画像記録媒体に記録された画像情報を消去するために画像記録媒体に対し前記読取光とは異なる波長からなる消去光を射出する消去光源とを有し、読取光源と消去光源とが、基板上に一体的に形成された無機エレクトロルミネセンス素子を用いたものであり、読取光源が、無機エレクトロルミネセンス素子における線状の複数の読取波長を射出する領域からなり、消去光源が、無機エレクトロルミネセンス素子におけるストライプ状の読取光源の隙間に形成された線状の複数の消去波長を射出する領域からなるものであることを特徴とするものである。
【００１４】
なお、無機エレクトロルミネセンス素子は、読取光を射出するものであってもよいし、消去光を射出するものであってもよい。この無機エレクトロルミネセンス素子が読取光を射出するときには、消去光源は消去光を射出する領域に設けられた、読取光を消去光に波長変換する波長変換層を有する構造にしてもよいし、無機エレクトロルミネセンス素子が消去光を射出するときには、読取光源は読取光を射出する領域に設けられた、消去光を読取光に波長変換する波長変換層を有する構造にしてもよい。
【発明の効果】
【００１５】
本発明の画像読取装置によれば、読取光源と消去光源とが基板上に一体的に形成されていることにより、従来のように、読取光が消去光源を透過した後に画像記録媒体に照射されることによる読取光の散乱および反射ロスの発生を防止することができるため、画像読取装置の読取光のフレア成分の発生を低減するとともに光強度の低下を防止することができる。
【００１６】
なお、読取光源と消去光源とが、読取光を射出する読取光発光ユニットと、消去光を射出する消去光発光ユニットとを備えたマルチフォトンエミッション素子からなるものであれば、高い電流効率により読取光と消去光を射出することができる。
【００１７】
読取光発光ユニットと消去光発光ユニットとの動作をそれぞれ制御する発光制御手段をさらに有するものであれば、読取光源と消去光源とがマルチフォトンエミッション素子からなるものであっても、読取光と消去光とをそれぞれ独立して発光タイミングの制御を行うことができる。
【００１８】
また、本発明の画像読取装置によれば、読取光源が、読取光を射出する線状の複数の無機エレクトロルミネセンス素子をストライプ状に並べた構造を有し、消去光源が、読取光源のストライプの間に配置された無機エレクトロルミネセンス素子に、無機エレクトロルミネセンス素子から射出される読取光を消去光に変換する波長変換層を積層した構造を有し、読取光源と消去光源とが、基板上に一体的に形成されていることにより、従来のように、読取光がガラス基板を透過した後に画像記録媒体に照射されることによる読取光の散乱および反射ロスの発生を防止することができるため、画像読取装置の読取光のフレア成分の発生を低減するとともに光強度の低下を防止することができる。
【発明を実施するための最良の形態】
【００１９】
以下、図面を参照して本発明の画像読取装置の実施の形態を詳細に説明する。図１は本発明の画像読取装置の好ましい実施の形態を示す概略構成図である。この画像読取装置１は、画像情報が記録された画像記録媒体に読取光を照射することにより、画像記録媒体にから画像情報を読取るものである。
【００２０】
まず、図１を参照して画像記録媒体１０について説明する。画像記録媒体１０は、たとえば特開２０００−２８４０５６号公報に開示されているような、いわゆる光読み出し方式の画像記録媒体であって、読取用電極１１、読取用光導電層１２、電荷輸送層１３、記録用光導電層１４、第２電極１５を積層した構造を有している。
【００２１】
読取用電極１１はたとえばネサ被膜等からなり、矢印Ｙ方向に向かって延びた副数本の第２電極が略平行に形成された構造を有している。この読取用電極１１は、各第２電極は電気的に絶縁した状態になっている。読取用光導電層１２はたとえばアモルファスセレンからなっており、読取光の照射により導電性を呈し電荷対を発生するものである。電荷輸送層１３は読取用光導電層１２に積層されており、負電荷に対しては略絶縁体として作用し、正電荷に対しては略導電体として作用するようになっている。記録用光導電層１４は、たとえばアモルファスセレンからなっており、記録用の電磁波（光または放射線）の照射によって導電性を呈し電荷対を発生するようになっている。さらに、記録用光導電層１４の上には、照射される記録用の電磁波を透過するたとえばＩＴＯ膜（Ｉｎｄｉｕｍ  Ｔｉｎ  Ｏｘｉｄｅ）等の材料からなる、矢印Ｙ方向に向かって延びた副数本の第２電極により構成された第２電極１５が積層されている。
【００２２】
ここで、電荷輸送層１３と記録用光導電層１４との界面には蓄電部１９が形成されている。つまり、記録用光導電層１４内で発生した電子が、読取用電極１１と第２電極１５の間で形成される電界により、読取用電極１１側へ移動しようとしたときに、電荷輸送層１３によってその移動が制限されるようになっている。よって蓄電部１９には、記録用の電磁波の照射量に応じた電荷が静電潜像として蓄積され、画像情報が記録されることになる。
【００２３】
ここで、画像記録媒体１０に画像情報を記録するとき、信号取得部５０から読取用電極１１と第２電極１５との間に高電圧が印加される。すると、読取用電極１１には負電荷が帯電し、第２電極１５には正電荷が帯電する。次に、第２電極１５側から記録用の電磁波が照射されたとき、記録用の電磁波の照射量に応じて、記録用光導電層１４において正負の電荷対が発生する。そのうち、電荷対の正孔は第２電極１５側に移動し、第２電極１５の負電荷と結合し消滅する。一方、電荷対の電子は、読取用電極１１側に移動するが、電荷輸送層１３によってその移動が制限される。これにより、蓄電部１９に静電潜像として画像情報が記録される。
【００２４】
蓄電部１９に記録された画像情報を読取る場合、パネル状光源２０から矢印Ｙ方向に延びているライン状の読取光が、読取用電極１１側から矢印Ｘ方向に走査しながら照射される。すると、読取光の照射量に応じた電荷対が読取用光導電層１２において発生する。発生した電荷対の正孔は、電荷輸送層１３を透過して蓄電部１９に蓄積された負電荷と結合し消滅する。一方、電荷対の電子は読取用電極１１側へ移動し正電荷と結合する。そして、読取用電極１１において正孔と負電荷が結合したときに電流が流れる。この電流の変化を信号取得部５０が検出することにより画像情報が読み取られる。
【００２５】
図２は図１の画像読取装置１におけるパネル状光源２０の好ましい実施の形態を示す断面図であり、図１と図２を参照してパネル状光源２０について説明する。パネル状光源２０は、陽極２２と陰極２３との間に複数の発光ユニット２４を厚み方向に積層したマルチフォトンエミッション素子（特開２００３−４５６７６号公報参照）からなっており、たとえばガラス基板等の光透過性の基板２１に積層されている。画像記録媒体１０とパネル状光源２０との間には、たとえば焦点深度の大きいＳＬＰ（セルフォックレンズプレート）等からなる結像光学系２７が配置されており、パネル状光源２０から射出された読取光および消去光が結像光学系２７により画像記録媒体１０上に結像されるようになっている。
【００２６】
陽極２２はたとえばＩＴＯ膜等の光透過性の導電層であって基板２１に板状に成膜されている。一方、陰極２３はたとえばアルミニウム等からなる導電層であって、ストライプ状に配列された複数の線状電極からなっている。このパネル状光源２０は、基板２１側において画像記録媒体１０に積層されており、基板２１を透過した読取光および消去光が画像記録媒体１０に照射されるようになっている。
【００２７】
マルチフォトンエミッション素子の各発光ユニット２４は、従来の有機ＥＬ素子の構成である、陽極と発光層と陰極との積層構造、陽極とホール輸送層と発光層と陰極との積層構造、陽極とホール輸送層と発光層と電子輸送層と陰極との積層構造、陽極とホール輸送層と発光層と電子輸送層と電子注入層と陰極との積層構造等から陰極と陽極とを除いた構成要素からなっている。また、各発光ユニット２４は、等電位面を形成する層（以下、「ＣＧＬ」（Ｃｈａｒｇｅ  ｇｅｎｅｒａｔｉｏｎ  ｌａｙｅｒ）という）２２ａにより仕切られている。
【００２８】
ここで、図２のマルチフォトンエミッション素子は、読取光を射出する読取光発光ユニット２５と、消去光を射出する消去光発光ユニット２６とを有し、読取光発光ユニット２５が読取光源を構成し消去光発光ユニット２６が消去光源を構成している。具体的には、図２においては、基板２１に陽極２２が積層されており、この陽極２２にたとえば赤色光からなる消去光を射出する消去光発光ユニット２６が積層されている。そして、消去光発光ユニット２６にたとえば青色光からなる読取光を射出する複数の読取光発光ユニット２５が積層されており、読取光発光ユニット２５上に陰極２３が積層された構造を有している。
【００２９】
陽極２２および陰極２３は駆動電源部３０に電気的に接続されており、この駆動電源部３０は陽極２２および陰極２３に読取光または消去光を発光させるための駆動電圧を出力するものである。具体的には、陽極２２にスイッチング素子４１を介して駆動電源部３０が接続されており、陰極２３にスイッチング素子３１を介して駆動電源部３０が接続されている。さらに、消去光発光ユニット２６上に積層されたＣＧＬ２２ａにもスイッチング素子４２を介して駆動電源部３０が接続されている。このスイッチング素子３１、４１、４２の動作は、発光制御手段４０により制御されている。
【００３０】
そして、マルチフォトンエミッション素子から読取光を射出させるとき、スイッチング素子４１をＯＮ状態、スイッチング素子４２をＯＦＦ状態にするとともに、スイッチング素子３１を走査方向（矢印Ｚ方向）に向かって順次ＯＮにしていく。すると、ＣＧＬ２２ａと線状の陰極２３との間に駆動電圧が印加され、ＣＧＬ２２ａと陰極２３とに挟まれた読取光発光ユニット２５からライン光からなる読取光が走査しながら射出するようになっている。
【００３１】
一方、マルチフォトンエミッション素子から消去光を射出させるとき、スイッチング素子４２をＯＦＦ状態、スイッチング素子４２をＯＮ状態にするとともに、スイッチング素子３１のすべてをＯＮ状態にする。すると、陽極２２と陰極２３との間に駆動電圧が印加され、陽極２２と陰極２３とに挟まれた読取光発光ユニット２５および消去光発光ユニット２６から読取光および消去光が射出するようになっている。
【００３２】
次に、図１と図２を参照して画像読取装置の動作例について説明する。まず、画像記録媒体１０から画像情報を読み取るとき、発光制御手段４０の制御により駆動電源部３０から駆動電圧が読取光発光ユニット２５に印加され、ライン光からなる読取光が画像記録媒体１０に走査しながら照射されていく。すると、信号取得部５０により画像記録媒体１０における読取光が照射された部位から画像情報が順次取得されていく。
【００３３】
そして、読取光の照射後、画像記録媒体１０に残存した画像情報を除去するために消去光の照射が行われる。具体的には、発光制御手段４０の制御により駆動電源部３０から駆動電圧が読取光発光ユニット２５および消去光発光ユニット２６に印加され、読取光および消去光が画像記録媒体１０に照射される。すると、残存している画像情報が画像記録媒体１０から除去される。
【００３４】
上記実施の形態によれば、読取光源と消去光源とが基板上に一体的に形成されていることにより、従来のように、読取光が消去光源を透過した後に画像記録媒体１０に照射されることによる読取光の散乱および反射ロスの発生を防止することができるため、画像読取装置１の読取光のフレア成分の発生を低減するとともに光強度の低下を防止することができる。
【００３５】
なお、読取光源と消去光源とが、読取光を射出する読取光発光ユニット２５と、消去光を射出する消去光発光ユニット２６とを備えたマルチフォトンエミッション素子からなるものであれば、高い電流効率により読取光と消去光を射出することができる。
【００３６】
読取光発光ユニット２５と消去光発光ユニット２６との動作をそれぞれ制御する発光制御手段４０をさらに有するものであれば、読取光源と消去光源とがマルチフォトンエミッション素子を用いて一体的に形成されていたときであっても、読取光と消去光とをそれぞれ独立して発光タイミングの制御を行うことができる。
【００３７】
図３は本発明の画像読取装置におけるパネル状光源の第２の実施の形態を示す断面図であり、図３を参照してパネル状光源１２０について説明する。なお図３のパネル状光源１２０において図２のパネル状光源２０と同一の構成を有する部位には同一の符号を付してその説明を省略する。また、図３においては、結像光学系２７を含まない形態を用いて説明しているが、画像記録媒体１０とパネル状光源１２０との間に結合光学系２７を挟むようにしてもよい。
【００３８】
図３のパネル状光源１２０が図２のパネル状光源２０と異なる点は、発光ユニット２４の積層構造である。具体的には、パネル状光源１２０は、基板２１上にアルミニウム等からなる陰極２３が積層されており、陰極２３上に複数の読取光発光ユニット２５がＣＧＬを介して積層されている。また読取光発光ユニット２５上にはＣＧＬを介して消去光発光ユニット２６が積層されており、この消去光発光ユニット２６にＩＴＯ膜等の透明電極からなる陽極２２が積層されている。つまりパネル状光源１２０は、陽極２２側において画像記録媒体１０に積層されており、陽極２２を透過した読取光および消去光が画像記録媒体１０に照射されるようになっている。
【００３９】
図３のようなパネル状光源１２０であっても、読取光源と消去光源とが基板２１上に一体的に形成されていることにより、従来のように、読取光が消去光源を透過した後に画像記録媒体１０に照射されることによる読取光の散乱および反射ロスの発生を防止することができるため、画像読取装置１の読取光のフレア成分の発生を低減するとともに光強度の低下を防止することができる。
【００４０】
図４は本発明の画像読取装置におけるパネル状光源の第３の実施の形態を示す模式図であり、図４を参照してパネル状光源２２０について説明する。なお図４のパネル状光源２２０において図２のパネル状光源２０と同一の構成を有する部位には同一の符号を付してその説明を省略する。また、図３においては、結像光学系２７を含まない形態を用いて説明しているが、画像記録媒体１０とパネル状光源２２０との間に結合光学系２７を挟むようにしてもよい。
【００４１】
図４のパネル状光源２２０が図２のパネル状光源２０と異なる点は読取光源および消去光源の構造である。つまり、パネル状光源２２０は、読取光源と消去光源とが、基板２１上に一体的に形成されたエレクトロルミネセンス素子を用いたものであり、読取光源が、無機エレクトロルミネセンス素子における線状の複数の読取波長を射出する領域からなり、消去光源が、無機エレクトロルミネセンス素子におけるストライプ状の読取光源の隙間に形成された線状の複数の消去波長を射出する領域からなっている。
【００４２】
具体的には、パネル状光源２２０は、板状に形成された陽極２２２と、ストライプ状に配列された複数の線状電極からなる陰極２２３と、陽極２２２と陰極２２３とに挟まれた無機ＥＬ層２２４とからなる無機ＥＬパネルからなっている。この無機ＥＬパネルは、駆動電源部３０から陽極２２２と陰極２２３とに駆動電圧が印加されたとき、読取光を射出するようになっている。よって、画像記録媒体１０にライン光からなる読取光を照射するとき、スイッチング素子３１において読取光を射出すべき領域にある陰極２２３に駆動電圧を印加することによって、読取光が走査しながら射出される。
【００４３】
一方、上述の読取光源のストライプの隙間には、無機エレクトロルミネセンス素子から射出される読取光を消去光に変換する波長変換層２２５が積層されている。このパネル状光源２２０が画像記録媒体１０に消去光を照射するとき、スイッチング素子２３０において消去光を射出すべき領域にある陰極２２３に駆動電圧を印加することによって消去光が射出されるようになっている。
【００４４】
図４のようなパネル状光源２２０であっても、読取光源と消去光源とが基板２１上に一体的に形成されていることにより、従来のように、読取光が消去光源を透過した後に画像記録媒体１０に照射されることによる読取光の散乱および反射ロスの発生を防止することができるため、画像読取装置１の読取光のフレア成分の発生を低減するとともに光強度の低下を防止することができる。
【００４５】
なお、図４においては、無機ＥＬ素子が読取光を射出するものであって、消去光源側に波長変換層２２５を設ける場合について例示しているが、無機ＥＬ素子が消去光を射出するものであって、読取光原側に波長変換層を設けるようにしてもよい。
【００４６】
また、図４において、読取光源と前記消去光源とが、基板２１上の同一平面に並んで配置されることにより一体的に形成される形態として、消去光源が読取光を射出する無機ＥＬ素子の上に波長変換層２２５を設けた構造を有している場合について言及しているが、図５に示すパネル状光源３２０のように、読取光源が、読取光を射出する線状の複数のＥＬ素子２２４がストライプ状に配列された構造を有し、消去光源が、ストライプ状のＥＬ素子２２４の隙間に配列された、消去光を射出する線状の複数のＥＬ素子３２４からなるようにしてもよい。この場合、ＥＬ素子２２４、３２４は、有機ＥＬ素子であっても無機ＥＬ素子であってもよく、読取光源のＥＬ素子２２４として、少なくとも読取波長の光を射出するＥＬ素子が適宜選択され、消去光源のＥＬ素子３２４として、少なくとも消去は腸の光を射出するＥＬ素子が適宜選択されることになる。
【００４７】
上記各実施の形態によれば、読取光源と消去光源とが、基板２１上に一体的に形成されていることにより、従来のように、読取光が基板を透過した後に画像記録媒体に照射されることによる読取光の散乱および反射ロスの発生を防止することができるため、画像読取装置におけるフレア成分の発生を低減させるとともに光強度の低下を防止することができる。
【００４８】
また、図２と図３に示すように、読取光源と消去光源とが、読取光を射出する読取光発光ユニットと、消去光を射出する消去光発光ユニットとを備えたマルチフォトンエミッション素子からなるものであれば、高い電流効率により読取光と消去光を射出することができる。
【００４９】
さらに、読取光発光ユニット２５と消去光発光ユニット２６との動作をそれぞれ制御する発光制御手段をさらに有するものであれば、読取光源と消去光源とがマルチフォトンエミッション素子において一体的に形成されていたときであっても、読取光と消去光とをそれぞれ独立して発光タイミングの制御を行うことができる。
【００５０】
また、図４に示すように、読取光源と消去光源とが、ストライプ状に形成された複数の線状の読取光発光領域と、各読取光発光領域の間に形成された、消去光を射出する消去光発光領域とを有する無機ＥＬ素子からなるものであっても、従来のように、読取光がガラス基板を透過した後に画像記録媒体に照射されることによる読取光の散乱および反射ロスの発生を防止することができるため、画像読取装置の読取光のフレア成分の発生を低減させるともに光強度の低下を防止することができる。
【００５１】
本発明の実施の形態は、上記実施の形態に限定されない。たとえば、図１の画像読取装置１において、画像記録媒体１０の一例として固体検出器の場合について例示しているが、蓄積性蛍光体シートの場合にも上述したパネル状光源２０を適用することができる。
【００５２】
また、図２において、画像記録媒体１０に残存する画像情報を消去する際、消去光ととともに読取光を照射するようにしているが、消去光のみを照射するようにしてもよい。この場合、陽極２２とＣＧＬ２２ａとの間のみに駆動電圧を印加することができるように、ＣＧＬ２２ａを導電体を有するＩＴＯ膜とし、スイッチング素子および駆動電源部３０を接続する構成にすればよい。
【００５３】
また、図２と図３において、マルチフォトンエミッション素子を用いた場合について例示しているが、基板２１の上に読取光（消去光）を射出する有機ＥＬ素子を積層し、その有機ＥＬ素子に消去光（読取光）を射出する有機ＥＬ素子もしくは無機ＥＬ素子を積層するようにしてもよい。
【００５４】
さらに、図１と図２において、画像記録媒体１０とパネル状光源２０との間に結像光学系２７が配置されている場合について例示しているが、図３や図４に示すように結像光学系２７を介さずに画像記録媒体１０とパネル状光源２０とが対向する構造を有していてもよい。
【図面の簡単な説明】
【００５５】
【図１】本発明の画像読取装置の好ましい実施の形態を示す構成図
【図２】本発明の画像読取装置におけるパネル状光源の好ましい実施の形態を示す模式図
【図３】本発明の画像読取装置におけるパネル状光源の第２の実施の形態を示す模式図
【図４】本発明の画像読取装置におけるパネル状光源の第３の実施の形態を示す模式図
【図５】本発明の画像読取装置におけるパネル状光源の第４の実施の形態を示す模式図
【符号の説明】
【００５６】
１     画像読取装置
１０   画像記録媒体
２０、１２０、２２０、３２０  パネル状光源
２１   基板
２２、２２２   陽極
２３、２２３   陰極
２４   発光ユニット
２５   読取光発光ユニット
２６   消去光発光ユニット
３０   駆動電源部
４０   発光制御手段
５０   信号取得部
２２５ 波長変換層
【図１】
2006098334.tif 000003
【図２】
2006098334.tif 000004
【図３】
2006098334.tif 000005
【図４】
2006098334.tif 000006
【図５】
2006098334.tif 000007